(57)【特許請求の範囲】
【請求項１】
水平方向に伸長する一対のレール部材を、垂直状に立設された支持部材を用いて、上下方向に垂直状に一列で、複数段有した構築物と、
前記構築物のレール部材上に、着脱可能であり、且つ前記レール部材の長手方向に沿ってスライド可能に取り付けられる載置台と、
植物が植え込まれ、前記載置台と係合可能な構造を有する鉢状体と、を備え、
前記鉢状体は、植物を植え込むための中空部を有した有底角筒形状であり、前記中空部の開口面を上面とした場合のその側面に、前記載置台と係合するための段差部が形成されている、ことを特徴とする緑化壁ユニット。
【請求項２】
前記鉢状体は、有底四角筒形状であり、
前記段差部として、前記中空部の開口面を上面とした場合の左右側面に、前記鉢状体が前記載置台に載置された状態で植物が斜め上方向を向くように傾斜段差部が形成され、
前記鉢状体は、四角枠形状の前記載置台の開口に挿入されて、前記傾斜段差部が前記載置台の連結部上に載置されることで前記載置台と係合する、ことを特徴とする請求項１記載の緑化壁ユニット。
【請求項３】
水平方向に伸長する一対のレール部材を、垂直状に立設された支持部材を用いて、上下方向に垂直状に一列で、複数段有した構築物と、
前記構築物のレール部材上に、着脱可能であり、且つ前記レール部材の長手方向に沿ってスライド可能に取り付けられる載置台と、
植物が植え込まれ、前記載置台と係合可能な構造を有する鉢状体と、を備え、
前記載置台は、少なくとも、前記レール部材に係合する係合部と、前記鉢状体が載置される載置面と、前記鉢状体と係合可能な構造として前記載置面の端部から立設された側壁とを有し、
前記鉢状体は、植物を植え込むための中空部を有した有底角筒形状であり、開口面を上面とした場合のその一側面が、前記載置面の上に載置される、ことを特徴とする緑化壁ユニット。
【請求項４】
前記載置台は、前記レール部材に沿って嵌合する一対の嵌合材と、当該一対の嵌合材の端部間を連結する一対の連結部と、で形成された四角枠形状の成型体である、ことを特徴とする請求項１又は２記載の緑化壁ユニット。
【請求項５】
水平方向に伸長する一対のレール部材を、垂直状に立設された支持部材を用いて、上下方向に垂直状に一列で、複数段有した構築物と、
前記構築物のレール部材上に、着脱可能であり、且つ前記レール部材の長手方向に沿ってスライド可能に取り付けられる載置台と、
植物が植え込まれ、前記載置台と係合可能な構造を有する鉢状体と、を備え、
前記鉢状体は、植物を植え込むために上面と側面の一部とが開口された箱状体であり、
前記載置台は、一の線材で構成されており、少なくとも、前記構築物の一対のレール部材に係止するために曲げられた一対の鉤状部と、前記鉢状体の底面及び一側面に係合する形状の曲部とを有し、
前記鉢状体の底面及び側面の少なくとも一方には、前記載置台が係止される係止部が形成される、ことを特徴とする緑化壁ユニット。
【請求項６】
前記構築物は、さらに前記レール部材を支持するように立設された複数の支持部材を備え、前記構築物の下側の前記支持部材は前方へ突出した位置に配置される、ことを特徴とする請求項１乃至４のいずれか一項に記載の緑化壁ユニット。
【請求項７】
前記請求項１乃至６のいずれか一項に記載の緑化壁ユニットの設置方法であって、
前記緑化壁ユニットを構成する鉢状体を用いて、植物を予め成長させる工程と、
植物が成長した前記鉢状体を、前記緑化壁ユニットの設置場所に搬送する工程と、
前記緑化壁ユニットを構成する構築物を構築する工程と、
前記構築物が有するレール部材上に、前記緑化壁ユニットを構成する載置台を、着脱可能に、且つ前記レール部材の長手方向に沿ってスライド可能に取り付ける工程と、
前記鉢状体を、前記載置台に係合する工程と、を含むことを特徴とする緑化壁ユニットの設置方法。
【発明の詳細な説明】
【技術分野】
【０００１】
本発明は、壁面などに沿って又は自立した緑化壁を造るための緑化壁ユニット、及びその設置方法に関する。
【背景技術】
【０００２】
近年、建物や構築物の壁面に沿って緑を設置する壁面緑化が盛んになってきている。壁面緑化による効果は様々であり、緑に囲まれた空間にすることにより癒しやリラックス効果が生じる。また、これ以外にも、都市部の気温の上昇を防ぐヒートアイランド対策、夏期には室温の上昇を抑えて冬期には外に温度が逃げるのを防ぐという省エネ対策などの効果を有する。
【０００３】
従来の壁面緑化は、つる性の植物による緑化が主体で、短期で緑のボリュームを得ることや地面から離れた高い壁面の緑化が困難であった。そこで、２００５年開催の愛知万博の「バイオ・ラング」では１９社の共催業者の壁面緑化技術が展示された（例えば、非特許文献１参照）。この「バイオ・ラング」とは、長さ１５０ｍ、高さ１２ｍ以上にも及ぶ巨大な緑化壁であり、植物の生育基盤となる軽量土壌や灌水装置を埋め込んだ着脱自由なパネルユニットを用いて造られた緑化壁である。そして、「バイオ・ラング」では、表面気温、表面温度ともに周囲のコンクリート非緑化壁面や広場よりも気温の上昇が抑制され、ヒートアイランド現象の抑制に資する効果が示された。
【０００４】
また、緑化壁としては、例えば、袋状のものに培養土を詰め込んで、表面に穴を開けて植物を植えこんで養生し、それを鉄骨構築物などに積層載置した緑化壁構造体が開示されている（例えば、特許文献１参照）。さらに、平鉢容器に培養土を入れ表面に複数の植込穴を作って植物を植えて、それを構築物に固定、金具で貼り付けるようにした植物栽培ユニットも開示されている（例えば、特許文献２参照）。
【０００５】
またさらに、観葉植物を植生させたプランタ下部に回動自在なキャスタを設けたプランタ付移動載置台車を地面上に設けたレール体上に固定又は可動させるようにした造園システムも開示されている（例えば、特許文献３参照）。
【先行技術文献】
【特許文献】
【０００６】
【非特許文献１】“バイオ・ラング”[平成２６月１２月１日検索]、インターネット＜ＵＲＬ：http://www.expo2005.or.jp/jp/N0/N2/N2.2/N2.2.34/＞
【特許文献１】特開２０１０−２６８７３９号公報
【特許文献２】特開２００１−８６８５１号公報
【特許文献３】特開平６−１０５６２１号公報
【発明の概要】
【発明が解決しようとする課題】
【０００７】
しかしながら、上述した緑化壁「バイオ・ラング」の展示から約１０年経過した現在では関連した業者はその大半が撤退しており、広く一般に定着し普及している緑化壁の技術は少ない。そして、依然として従来の緑化壁では、植物が存在感ある景観を創出するまでに相当期間を要し、また、デザイン性に乏しいという問題がある。
【０００８】
また、従来の緑化壁の多くは、パネルユニットなどを使用しているために風通しが悪く、その結果、植物の生育環境が悪くなり、風圧に対する安定性も低い。さらに、緑化壁が壁面に密着設置される場合は植物の根が建物の壁面を傷める虞もある。
【０００９】
またさらに、従来の多くの緑化壁は、つる植物や草花のような軽量な植物の植栽には適しているが、樹木のような大きな植物の植栽には適さない。すなわち、従来の緑化壁では２〜３年間の植物の生育には耐えることが可能であっても、１０年以上継続して生長する樹木などには適していないという問題もある。
【００１０】
本発明は、上記課題に鑑みてなされたものであり、施工性に優れ、植物の存在感のある景観を即席で創出でき、且つ植物のレイアウト変更性にも非常に優れた緑化壁ユニットを提供することを目的とする。また、この緑化壁ユニットの設置方法を提供することをも目的とする。
【課題を解決するための手段】
【００１１】
上記目的を達成するために本発明は、水平方向に伸長する一対のレール部材を、垂直状に立設された支持部材を用いて、上下方向に垂直状に一列で、複数段有した構築物と、前記構築物のレール部材上に、着脱可能であり、且つ前記レール部材の長手方向に沿ってスライド可能に取り付けられる載置台と、植物が植え込まれ、前記載置台と係合可能な構造を有する鉢状体と、を備え、前記鉢状体は、植物を植え込むための中空部を有した有底角筒形状であり、前記中空部の開口面を上面とした場合のその側面に、前記載置台と係合するための段差部が形成されている、ことを特徴とする緑化壁ユニットである。また、この緑化壁ユニットにおいて、前記鉢状体は、有底四角筒形状であり、前記段差部として、前記中空部の開口面を上面とした場合の左右側面に、前記鉢状体が前記載置台に載置された状態で植物が斜め上方向を向くように傾斜段差部が形成され、前記鉢状体は、四角枠形状の前記載置台の開口に挿入されて、前記傾斜段差部が前記載置台の連結部上に載置されることで前記載置台と係合することが好ましい。さらに、上記目的を達成するために本発明は、水平方向に伸長する一対のレール部材を、垂直状に立設された支持部材を用いて、上下方向に垂直状に一列で、複数段有した構築物と、前記構築物のレール部材上に、着脱可能であり、且つ前記レール部材の長手方向に沿ってスライド可能に取り付けられる載置台と、植物が植え込まれ、前記載置台と係合可能な構造を有する鉢状体と、を備え、前記載置台は、少なくとも、前記レール部材に係合する係合部と、前記鉢状体が載置される載置面と、前記鉢状体と係合可能な構造として前記載置面の端部から立設された側壁とを有し、前記鉢状体は、植物を植え込むための中空部を有した有底角筒形状であり、開口面を上面とした場合のその一側面が、前記載置面の上に載置される、ことを特徴とする緑化壁ユニットである。
【００１２】
また、この緑化壁ユニットにおいて、前記載置台は、前記レール部材に沿って嵌合する一対の嵌合材と、前記一対の嵌合材の端部間を連結する一対の連結部と、で形成された四角枠形状の成型体であることが好ましい。
【００１６】
また、上記目的を達成するために本発明は、水平方向に伸長する一対のレール部材を、垂直状に立設された支持部材を用いて、上下方向に垂直状に一列で、複数段有した構築物と、前記構築物のレール部材上に、着脱可能であり、且つ前記レール部材の長手方向に沿ってスライド可能に取り付けられる載置台と、植物が植え込まれ、前記載置台と係合可能な構造を有する鉢状体と、を備え、前記鉢状体は、植物を植え込むために上面と側面の一部とが開口された箱状体であり、前記載置台は、一の線材で構成されており、少なくとも、前記構築物の一対のレール部材に係止するために曲げられた一対の鉤状部と、前記鉢状体の底面及び一側面に係合する形状の曲部とを有し、前記鉢状体の底面及び側面の少なくとも一方には、前記載置台が係止される係止部が形成される、ことを特徴とする緑化壁ユニットである。また、これらの緑化壁ユニットにおいて、前記構築物は、さらに前記レール部材を支持するように立設された複数の支持部材を備え、前記構築物の下側の前記支持部材は前方へ突出した位置に配置されることが好ましい。
【００１８】
また、上記目的を達成するために本発明は、前記緑化壁ユニットの設置方法であって、前記緑化壁ユニットを構成する鉢状体を用いて、植物を予め成長させる工程と、植物が成長した前記鉢状体を、前記緑化壁ユニットの設置場所に搬送する工程と、前記緑化壁ユニットを構成する構築物を構築する工程と、前記構築物が有するレール部材上に、前記緑化壁ユニットを構成する載置台を、着脱可能に、且つ前記レール部材の長手方向に沿ってスライド可能に取り付ける工程と、前記鉢状体を、前記載置台に係合する工程と、を含むことを特徴とする緑化壁ユニットの設置方法である。
【発明の効果】
【００１９】
本発明に係る緑化壁ユニットは、水平方向に伸長する一対のレール部材を上下方向に複数段有した構築物と、構築物のレール部材上に着脱可能であり且つレール部材の長手方向に沿ってスライド可能に取り付けられる載置台と、植物が植え込まれて載置台と係合可能な構造を有する鉢状体と、を備える。この構成により、本発明に係る緑化壁ユニットは、施工性に優れ、植物の存在感のある景観を即席で創出でき、且つ植物のレイアウト変更性にも非常に優れたものとなる。
【図面の簡単な説明】
【００２０】
【図１】（ａ）本発明の実施の形態１に係る緑化壁ユニットの正面図、（ｂ）同上緑化壁ユニットの側面図である。
【図２】同上緑化壁ユニットを構成する構築物の斜視図である。
【図３】（ａ）同上緑化壁ユニットを構成する載置台の斜視図、（ｂ）同上載置台を構築物に取り付けたときの斜視図である。
【図４】（ａ）同上緑化壁ユニットを構成する鉢状体の斜視図、（ｂ）同上鉢状体の分解斜視図である。
【図５】（ａ）及び（ｂ）同上鉢状体を載置台に係合したときの斜視図である。
【図６】（ａ）及び（ｂ）同上鉢状体を載置台に係合するときの鉢状体のスライド状態を説明するための図である。
【図７】同上鉢状体を載置台に係合し、同上載置台を構築物に取り付けたときの斜視図である。
【図８】同上実施の形態１の第１の変形例に係る緑化壁ユニットに用いる載置台の斜視図である。
【図９】（ａ）及び（ｂ）同上実施の形態１の第２の変形例に係り、壁面に沿って設置された緑化壁ユニットの側面図、（ｃ）自立型の緑化壁ユニットの側面図である。
【図１０】本発明の実施の形態２に係る緑化壁ユニットの側面図である。
【図１１】（ａ）及び（ｂ）同上緑化壁ユニットに用いる載置台の斜視図である。
【図１２】（ａ）及び（ｂ）同上緑化壁ユニットに用いる鉢状体の斜視図である。
【図１３】（ａ）乃至（ｃ）同上緑化壁ユニットに用いる鉢状体への鉢花の収容方法を説明するための図である。
【図１４】同上緑化壁ユニットの構築物に鉢状体及び載置台を取り付けたときの斜視図である。
【図１５】（ａ）同上緑化壁ユニットの正面図、（ｂ）同上緑化壁ユニットの側面図である。
【発明を実施するための形態】
【００２１】
（実施の形態１）
本発明の実施の形態１に係る緑化壁ユニットについて図面を参照して説明する。本実施の形態１に係る緑化壁ユニットは、草花や樹木を設置するために用いられ、コンクリート建物、高速道路の立体交差など建築物や構築物の壁面に沿って設置され、又は自立型の緑化壁となる。緑化壁は近年普及が進んでおり、植物による癒し、リラックス効果以外にも、省エネ効果や、ヒートアイランド現象の緩和、紫外線による建築物の劣化を防止する効果が期待されている。
【００２２】
最初に、本実施の形態１に係る緑化壁ユニットの構造に関して説明する。図１に示すように、緑化壁ユニット１は、構築物２と、載置台３と、鉢状体４とを備えている。
【００２３】
構築物２は、図２に示すように、垂直状に立設された支持部材２ａ、及び水平方向に伸長する一対のレール部材２ｂを、上下方向に複数段有した鉄骨構築物である。構築物２は、使用態様に応じてレール部材２ｂの段数や高さが自在に調節される。支持部材２ａは、支柱形状に限定されるものではなく、レール部材２ｂを支持できれば板状など他の形状でも良い。また、レール部材２ｂには、鉄製（ステンレス製）の丸棒（パイプ）や角棒（パイプ）などを用いている。構築物２は鉄骨に限定されるものではなく他の金属材や強化樹脂を用いても良い。
【００２４】
載置台３は、図３（ａ）に示すように、構築物２のレール部材２ｂに沿って嵌合する一対の凹材（嵌合材）３ａと、一対の凹材３ａの端部間を連結する一対の連結部３ｂと、で形成された四角枠形状の成型体である。また、図３（ｂ）に示すように、構築物２のレール部材２ｂ上に、着脱可能であり、且つレール部材２ｂの長手方向Ｌに沿ってスライド可能に取り付けられる。なお、載置台３は凹材３ａを用いているが、その他、垂直断面がＬ形状、略半円形状の部材やキャスタなど、レール部材２ｂと着脱可能であり、且つレール部材２ｂの長手方向Ｌに沿ってスライド移動できる形状であれば良い。
【００２５】
鉢状体４は、植物が植え込まれ、載置台３と係合可能な構造を有する。本実施の形態１において、鉢状体４は、図４（ａ）に示すように、植物を植え込むための中空部４ａを有した有底四角筒形状（有底角筒形状）の可搬体である。また、鉢状体４には、その開口面４ｂを上面とした場合の側面に、載置台３と係合するための段差部が形成されている。本実施の形態１では、鉢状体４の開口面４ｂを上面とした場合のその左右側面４ｃ，４ｄには、鉢状体４が載置台３の連結部３ｂに載置された状態で植物が斜め上方向を向くように傾斜段差部４ｅが形成されている。この傾斜段差部４ｅは、鉢状体４の左右側面４ｃ，４ｄのそれぞれに２か所ずつ設けられてＶ字状の凸部を形成している。また、鉢状体４の開口面４ｂを上面とした場合のその側面（図４に示す鉢状体４の上下面）には上から落ちてくる水を吸収するために部分的に貫通孔となる網目部４ｆが形成されている。なお、鉢状体４は、例えば、図４（ｂ）に示すように、開口面を有する２つの箱状体を対向させて形成する。また、段差部の形状は傾斜段差部４ｅの形状に限定されるものではなく、鉢状体４の側面に形成されて載置台３と係合するための段差形状を有していれば良い。
【００２６】
また、鉢状体４は、図５に示すように、載置台３の開口に挿入されて、傾斜段差部４ｅが載置台３の連結部３ｂ上に載置される。この構成により、鉢状体４に植え込まれた植物が斜め上方向を向いて成長することができる。また、大型で重量のある鉢状体４（例えば、３０×３５×５０ｃｍ、重量３０ｋｇ以上など）の場合には、図６（ａ）の矢印Ｙに示すように、傾斜段差部４ｅを利用して載置台３の連結部３ｂ上をスライド移動させることで、図６（ｂ）に示すように鉢状体４を載置台３に容易に係合させることができ、その結果、施工時における作業者の負担を大きく軽減できる。
【００２７】
本実施の形態１において、鉢状体４は例えば３０リットル以上の容量を有し、植え込まれる植物には、草花のみでなく、例えば、アベリア、寒ツバキ、黄金マサキ、ユキヤナギ、コデマリ等の背丈の低い樹木を用いることができる。
【００２８】
また、図７に示すように、緑化壁ユニット１の載置台３がレール部材２ｂの長手方向Ｌに沿ってスライド可能であるため、鉢状体４に植え込まれた植物の位置を自由に変更できる。さらに、植物の形状により図７の矢印Ｍで示す前後方向（レール部材２ｂの短手方向）にも多少はスライド可能となる。この結果、植物のレイアウト変更性に非常に優れ、当初より完成度の高い草花のデザインを実現できる。また、同じ大きさの鉢状体４を用いても植物品種によってその成長スピードが異なるが、植物が大きく育ってきた場合には、鉢状体４の間隔を変更したり、一部の鉢状体４を取り外すことで、植物品種の成長スピードの応じた充分なスページングが可能となる。さらに、鉢状体４に植え込む植物の生育状態やボリュームに応じて隣接する鉢状体４との間隔を狭めたり広めたりすることで装飾効果を極めて容易に高めることができる。
【００２９】
次に、本実施の形態１に係る緑化壁ユニット１の設置方法に関して説明する。最初の工程では（１）鉢状体４を用いて農家等で予め低樹木類などを植え込み予め成長させる。（２）次に、養生して充分に樹木が育った鉢状体４を緑化壁ユニット１の設置場所に搬送し、（３）鉄骨の構築物２を構築し、（４）構築物２のレール部材２ｂ上に、載置台３を取り付ける。次に、（５）クレーンなどを用いて鉢状体４を吊り上げ、鉢状体４を所望のレール部材２ｂ上の位置に取り付けられた各載置台３に係合固定し、各載置台３の位置を植物の大きさ、デザインによりスライド調整する。
【００３０】
以上の説明のように、本実施の形態に係る緑化壁ユニット１は、レール部材２ｂを有した構築物２と、レール部材２ｂ上に着脱可能に、且つスライド可能に取り付けられる載置台３と、植物が植え込まれて載置台３と係合可能な構造を有する鉢状体４とを備える。この構成により、施工性に優れ、また、生育速度の穏やかな植物（樹木）の育つ期間を待つ必要がないために植物の存在感のある景観を即席で創出できる。このため、例えば東京オリンピックなどでの利用が期待される。
【００３１】
また、鉢状体４が載置された載置台３の間隔をスライド変更することで、各設置場所のデザインニーズに合わせた装飾ができ、レイアウト変更性に極めて優れた緑化壁ユニット１となる。また、例えば枯死した植物の入れ替えも、鉢状体４を交換するのみで対応でき、極めて機能的となる。
【００３２】
そして、緑化壁ユニット１のサイズを大きくすることで、樹木を用いた都会での緑化壁を１０年以上の長期間に亘って実現できる。
【００３３】
また、緑化壁ユニット１において、鉢状体４は互いに離間して配置されるため、隙間が多く、風通しが良くなり、その結果、強風をまともに受けることがなくなり、風圧に対する安定性が高くなる。また、風通しが良いために植物の生育環境が非常に良くなり、むれが少なく病害虫の発生が少なくなり、その結果、植物の生長を促すという効果も奏する。
【００３４】
またさらに、鉢状体４ごとに独立しているために、水やりに際して、乾燥気味に管理したい植物には点滴潅水などの水量をしぼる等の調整ができ、また肥料においても多少の調整が可能となる。
【００３５】
また、緑化壁ユニット１は、構築物２に複数の鉢状体４を配置することにより全体で壁面状の景観を呈しているが、植物は鉢状体４単位で構成されているため複数の植物の根がお互いに入り組んで絡み合うことはなく、傷んだ植物の入れ替えが極めて容易である。
【００３６】
さらに、鉢状体４を用いるため、緑化壁ユニット１をコンクリート構築物やビル外壁などの壁面に沿って設置しても、植物の根がコンクリート構造物や建物に直接触れることはなく、建物壁面を傷めることがない。
【００３７】
（第１の変形例）
本実施の形態１の第１の変形例について、図８を参照して説明する。本変形例１において、載置台５は、２つのＬ型アングル５ａを対向して配置し、垂直断面が凹形状の部材となる。また、載置台５は、レール部材２ｂに係合する係合部５ｂと、鉢状体４が載置される載置面５ｃと、鉢状体４を係合固定するために載置面５ｃの端部から立設された側壁５ｄを有する。すなわち、有底四角筒形状の鉢状体４の開口面を上面とした場合のその一側面が、載置台５の載置面５ｃの上に載置され、鉢状体４の側面が側壁５ｄと係合する。この構成により、本変形例１においても、上記実施の形態１と同様の効果を奏することができる。また、載置面５ｃに載置された鉢状体４を、植物の形状により図８の矢印Ｌで示すレール部材２ｂの長手方向のみではなく、矢印Ｍで示す短手方向（前後方向）にも自在にスライドさせてレイアウト変更でき、緑化壁ユニット１の装飾性を極めて高くできる。
【００３８】
（第２の変形例）
本実施の形態１の第２の変形例について、図９を参照して説明する。図９（ａ），（ｂ）は、壁面に沿って設置された緑化壁ユニット１、図９（ｃ）は、２つの緑化壁ユニット１の裏面を対向させて設置した自立型の緑化壁ユニット１を示している。そして、緑化壁ユニット１の構築物２は、複数の支持部材２ａを備えており、図９（ｂ），（ｃ）においては、構築物２の下側の一部の支持部材２ａ´は前方へ突出する位置に配置されている。また、図９（ｃ）においては、支持部材２ａ´の下端部はボルト２ｃを用いて地面に支持固定されている。
【００３９】
この構成により、本変形例２においては、緑化壁ユニット１の下側で底辺を形成している部分を拡げることができる。従って、上記実施の形態１の効果に加えて、構築物２の自立性、安定性が増し、重量物となる緑化壁ユニット１を安全確実に長期間に亘って維持することが可能となる。
【００４０】
（実施の形態２）
本発明の実施の形態２に係る緑化壁ユニットについて、図１０〜１５を参照して説明する。なお、上記実施の形態１と同様の構成には同一の符号を付し、その詳細な説明は省略する。本実施の形態２に係る緑化壁ユニット１０は、ビルの壁面やマンションのベランダ等の比較的小さな壁面に設置できるように、上記実施の形態１に係る緑化壁ユニット１より小型となる。
【００４１】
載置台１１は、図１１に示すように、一の線材（鉄線）で構成されており、構築物２の一対のレール部材２ｂに係止するために曲げられた一対の鉤状部１１ａと、鉢状体１２の底面及び一側面に係合する形状の曲部１１ｂとを有する。
【００４２】
鉢状体１２は、図１２に示すように、植物を植え込むために上面１２ａと側面１２ｂの一部とが開口された箱状体であり、例えば、容量５リットル、高さ１５ｃｍ×横幅１５ｃｍ×奥行き２０ｃｍ程度の大きさを有する。また、鉢状体１２の底面及び側面（の少なくとも一方）には載置台１１を係止するための係止部１２ｃが、底面には通水のための複数の通水孔１２ｄが形成されている。なお、鉢状体１２は可搬体であり、樹脂材で形成された場合には特に軽量となる。
【００４３】
次に、鉢状体１２への植物収容の方法に関して図１３を参照して説明する。最初に、ホームセンターなどで市販されている開花中の鉢花１３（完成株）などのポットを外して、図１３（ａ）に示すように、鉢状体１２の側面１２ｂの開口部から植物の頭部が出るように鉢状体１２に収容する。次に、図１３（ｂ）に示すように、鉢状体１２の内部を土で満たして、その後、図１３（ｃ）に示すように土漏れ防止蓋１４を土の上から装着する。そして、図１４に示すように、鉢状体１２の底面に取り付けられた載置台１１の一対の鉤状部１１ａを構築物２の一対のレール部材２ｂに係止する。
【００４４】
この構成により、本実施の形態２に係る緑化壁ユニット１０では、施工性に優れ、且つ図１５に示すように、ホームセンターなどで市販されている鉢花（完成株）などのポットを用いて、ビルの壁面やマンションのベランダなどで、一般の人でも植物の存在感のある景観を即席で創出できる。また、鉢状体１２の位置を容易に左右方向にスライドできるためにレイアウト変更性にも極めて優れ、植物のデザインを楽しむことができる棚状体となる。
【００４５】
なお、本発明は、上記実施の形態の構成に限られず、発明の趣旨を変更しない範囲で種々の変形が可能である。例えば、緑化壁ユニット１の構築物２を水平方向４個の鉢状体を上下方向４列に１６鉢まで載置できる１つのブロック体とし、構築物２の上下端部に山型形状などの嵌合部を形成する。この構成により、構築物２をブロックのように上下左右方向に自在に拡張できるようにし、施工性を更に向上できる。
【符号の説明】
【００４６】
１，１０  緑化壁ユニット
２  構築物
２ａ，２ａ´  支持部材
２ｂ  レール部材
３，５，１１  載置台
３ａ  凹材（嵌合材）
３ｂ  連結部
４，１２  鉢状体
４ｂ  開口面
４ｃ，４ｄ  側面
４ｅ  傾斜段差部（段差部）
４ｆ  網目部
５ａ  Ｌ型アングル
５ｂ  係合部
５ｃ  載置面
５ｄ  側壁
１１ａ  鉤状部
１１ｂ  曲部
１２ａ  上面
１２ｂ  側面
１２ｃ  係止部
１２ｄ  通水孔
１３  鉢花
１４  土漏れ防止蓋
【要約】
【課題】施工性に優れ、植物の存在感のある景観を即席で創出でき、且つ植物のレイアウト変更性にも優れた緑化壁ユニットを提供する。
【解決手段】緑化壁ユニット１は、水平方向に伸長する一対のレール部材２ｂを、上下方向に複数段有した構築物２と、構築物２のレール部材２ｂ上に、着脱可能であり、且つレール部材２ｂの長手方向に沿ってスライド可能に取り付けられる載置台３と、植物が植え込まれ、載置台３と係合可能な構造を有する鉢状体４とを備える。この構成により、施工性に優れ、植物の存在感のある景観を即席で創出でき、且つ植物のレイアウト変更性にも優れた緑化壁ユニット１となる。
【選択図】図１【図１】
0005941975.tif 000002
【図２】
0005941975.tif 000003
【図３】
0005941975.tif 000004
【図４】
0005941975.tif 000005
【図５】
0005941975.tif 000006
【図６】
0005941975.tif 000007
【図７】
0005941975.tif 000008
【図８】
0005941975.tif 000009
【図９】
0005941975.tif 000010
【図１０】
0005941975.tif 000011
【図１１】
0005941975.tif 000012
【図１２】
0005941975.tif 000013
【図１３】
0005941975.tif 000014
【図１４】
0005941975.tif 000015
【図１５】
0005941975.tif 000016